(57)【要約】【課題】雌型コネクタへの挿入時に片当たりを起こしても座屈や変形を起こしにくく、かつ、振動の影響を受けにくい雄型端子、およびそのような雄型端子を備えた雄型コネクタを提供する。【解決手段】先端側から雌型コネクタハウジング９１に進入し、端子接触部１２において雌型コネクタハウジング９１に収容された雌型端子９３と接触する雄型端子１において、端子接触部１２よりも基端側に、雄型端子１の先端側と基端側を結ぶ方向ｘに交差する断面の面積が、端子接触部１２よりも大きくなった大断面部１３を有する雄型端子１とする。また、そのような雄型端子１と、雄型端子１を固定して収容する雄型コネクタハウジング２１と、を有する雄型コネクタ２とする。【選択図】図５
2017188291.tif 000002
【特許請求の範囲】
【請求項１】
先端側から雌型コネクタハウジングに進入し、端子接触部において前記雌型コネクタハウジングに収容された雌型端子と接触する雄型端子において、
前記端子接触部よりも基端側に、前記雄型端子の先端側と基端側を結ぶ方向に交差する断面の面積が、前記端子接触部よりも大きくなった大断面部を有することを特徴とする雄型端子。
【請求項２】
前記大断面部は、前記雄型端子の先端側から基端側に向かって、断面の面積が大きくなっていることを特徴とする請求項１に記載の雄型端子。
【請求項３】
前記雄型端子は、一端にプリント基板に接続される基板接続部を有し他端に相手方接続端子に接続される端子接続部を有するプリント基板用端子の、前記端子接続部を構成していることを特徴とする請求項１または２に記載の雄型端子。
【請求項４】
請求項１から３のいずれか１項に記載の雄型端子と、前記雄型端子を固定して収容する雄型コネクタハウジングと、を有することを特徴とする雄型コネクタ。
【請求項５】
前記雄型端子は、前記大断面部の基端部において、前記雄型コネクタハウジングに固定されていることを特徴とする請求項４に記載の雄型コネクタ。
【請求項６】
前記雄型コネクタハウジングは、前記雌型コネクタハウジングと嵌合した状態において、該雌型コネクタハウジングとの間に空隙を有し、
前記雄型端子の前記大断面部の断面は、前記空隙が最も広くなっている方向に沿って、前記端子接触部の断面よりも幅が広くなっていることを特徴とする請求項４または５に記載の雄型コネクタ。
【発明の詳細な説明】
【技術分野】
【０００１】
本発明は、雄型端子および雄型コネクタに関し、さらに詳しくは、プリント基板用コネクタ等として用いられる雄型端子、およびそのような雄型端子を備えた雄型コネクタに関するものである。
【背景技術】
【０００２】
雄型コネクタと雌型コネクタを嵌合させて電気的接続を形成するに際し、良好な電気的接触を確保するため、また各コネクタを構成する端子等の部材への不要な負荷の印加を避けるために、雄型コネクタに収容された雄型端子を、雌型コネクタに対して、正規の位置および方向に挿入する必要がある。そのために、雌型コネクタに、雄型端子を正規の位置および方向に誘い込むための誘い込み部が設けられる場合がある。
【０００３】
例えば、図６（ａ）に示すように、誘い込み部９２ａは、雌型コネクタハウジング９１のキャビティ９２の入口部分に、雄型端子１１０の挿入方向手前側に広がったテーパ面として設けられる。また、この種のコネクタにおいては通常、雄型コネクタ１００と雌型コネクタ９０の嵌合位置の誤差を許容するために、雄型コネクタハウジング１２０と雌型コネクタハウジング９１の間に、クリアランスＣが設けられる。この場合に、図６（ｂ）のように、クリアランスＣの範囲内で、雄型コネクタハウジング１２０と雌型コネクタハウジング９１が相互に対して図６（ａ）に示す正規位置からずれた状態また正規の方向から傾いた状態で、雄型端子１１０が雌型コネクタハウジング９１のキャビティ９２に挿入される場合が生じる。すると、雄型端子１１０の先端部が、ある方向において、雌型コネクタハウジング９１の誘い込み部９２ａのテーパ面に当接して押し付けられる片当たりと称される現象が生じる。片当たりが起こると、雄型端子１１０に負荷がかかり、座屈や変形を起こし、雌型端子９３との間に正常な電気接続を形成できなくなる可能性がある。
【０００４】
端子の挿入位置の誤差によって生じる負荷により、端子等の部材に問題が生じるのを防ぐ方法として、例えば、特許文献１に、固定部（静電チャック）に端子（チャック側端子）を固定するに際し、固定部に基端が接続された可撓性のある電線と、その電線の先端に接合された先端部材とで端子を形成することが記載されている。先端部材が相手側端子に圧入されるときに、位置ずれがあったとしても、可撓性の電線の存在により、固定部と端子の接合部に大きな力や曲げモーメントがかかることが防止される。
【先行技術文献】
【特許文献】
【０００５】
【特許文献１】特開２００８−９８５１３号公報
【発明の概要】
【発明が解決しようとする課題】
【０００６】
雄型コネクタ１００と雌型コネクタ９０の嵌合の際に、雌型コネクタハウジング９１の誘い込み部９２ａへの片当たり等によって雄型端子１１０に負荷が印加されるのを防止するために、雄型端子１１０を雄型コネクタハウジング１２０に固定する部位に、特許文献１に記載されるように、可撓性の電線を用いた接続を適用することが考えられる。しかし、その場合には、嵌合させた状態の雄型コネクタ１００および雌型コネクタ９０に振動が加えられると、その振動により、雄型コネクタハウジング１２０が可撓性電線を介して雄型端子１１０に対して運動を起こす場合がある。すると、雄型端子１１０と雌型端子９３の間の接点部で摩耗が発生し、接続不良につながる可能性がある。特に、車両内等、振動が激しい部位にコネクタ１００，９０が用いられる場合には、この問題が大きくなる。
【０００７】
本発明の課題は、雌型コネクタへの挿入時に片当たりを起こしても座屈や変形を起こしにくく、かつ、振動の影響を受けにくい雄型端子、およびそのような雄型端子を備えた雄型コネクタを提供することにある。
【課題を解決するための手段】
【０００８】
上記課題を解決するため、本発明にかかる雄型端子は、先端側から雌型コネクタハウジングに進入し、端子接触部において前記雌型コネクタハウジングに収容された雌型端子と接触する雄型端子において、前記端子接触部よりも基端側に、前記雄型端子の先端側と基端側を結ぶ方向に交差する断面の面積が、前記端子接触部よりも大きくなった大断面部を有するものである。
【０００９】
ここで、前記大断面部は、前記雄型端子の先端側から基端側に向かって、断面の面積が大きくなっているとよい。また、前記雄型端子は、一端にプリント基板に接続される基板接続部を有し他端に相手方接続端子に接続される端子接続部を有するプリント基板用端子の、前記端子接続部を構成しているとよい。
【００１０】
本発明にかかる雄型コネクタは、上記のような雄型端子と、前記雄型端子を固定して収容する雄型コネクタハウジングと、を有するものである。
【００１１】
ここで、前記雄型端子は、前記大断面部の基端部において、前記雄型コネクタハウジングに固定されているとよい。また、前記雄型コネクタハウジングは、前記雌型コネクタハウジングと嵌合した状態において、該雌型コネクタハウジングとの間に空隙を有し、前記雄型端子の前記大断面部の断面は、前記空隙が最も広くなっている方向に沿って、前記端子接触部の断面よりも幅が広くなっているとよい。
【発明の効果】
【００１２】
上記発明にかかる雄型端子は、端子接触部よりも基端側に、端子接触部よりも断面積の大きい大断面部を有する。雄型端子を構成する材料の断面積を大きくすることで、雌型コネクタハウジングへの片当たりによって、雄型端子の先端部に曲げモーメントが印加された際に、雄型端子の各部に印加される曲げ応力を、小さくすることができる。よって、雄型端子が大断面部を有することで、雄型端子の基端側の部位に印加される曲げ応力が小さく抑えられ、雄型端子の座屈や変形を抑制することができる。また、雄型端子において、曲げ応力の抑制を目的として、可撓性部材等、雄型コネクタハウジングに対する雄型端子の振動を引き起すような部材を用いる必要がないので、振動の影響を受けにくい雄型端子となる。
【００１３】
ここで、大断面部において、雄型端子の先端側から基端側に向かって、断面の面積が大きくなっている場合には、片当たりを起こす先端部からの距離が遠く、片当たりによって曲げ応力を受けやすい雄型端子の基端側の部位において、効果的に曲げ応力を低減することができる。
【００１４】
また、雄型端子が、一端にプリント基板に接続される基板接続部を有し他端に相手方接続端子に接続される端子接続部を有するプリント基板用端子の、端子接続部を構成している場合には、この種のプリント基板用端子は、コネクタハウジングに多数を並べて固定して用いられることが多いが、それぞれのプリント基板用端子の端子接続部において、相手方の雌型端子の正規位置への挿入と、挿入時の曲げ応力の抑制を達成しやすくなる。
【００１５】
上記発明にかかる雄型コネクタは、上記のような雄型端子を雄型コネクタハウジングに固定してなるものであり、相手方の雌型コネクタと嵌合させる際に、雄型端子の片当たりに伴う曲げ応力によって、雄型端子自体や、雄型端子と雄型コネクタハウジングの接合部等に、負荷が印加されるのが抑制される。また、雄型端子と雄型コネクタハウジングの間に、曲げ応力の低減を目的として可撓性部材のような振動の原因となりうる部材を設ける必要がないので、振動の影響を受けにくい雄型コネクタとなっている。
【００１６】
ここで、雄型端子が、大断面部の基端部において、雄型コネクタハウジングに固定されている場合には、雄型端子の先端部に片当たりによる曲げモーメントが印加されても、雄型端子の基端部、そしてその基端部が雄型コネクタハウジングに固定されている部位に、大きな曲げ応力が印加されるのを効果的に抑制することができる。
【００１７】
また、雄型コネクタハウジングが、雌型コネクタハウジングと嵌合した状態において、該雌型コネクタハウジングとの間に空隙を有し、雄型端子の大断面部の断面が、空隙が最も広くなっている方向に沿って、端子接触部の断面よりも幅が広くなっている場合には、雄型コネクタハウジングと雌型コネクタハウジングの間の空隙が大きく、片当たりによって大きな負荷が発生しやすい方向に沿って、大断面部が大きな幅を有しているので、片当たりによってその方向に印加される曲げ応力の影響を、特に効果的に低減することができる。
【図面の簡単な説明】
【００１８】
【図１】本発明の一実施形態にかかる雄型端子を示す図であり、（ａ）は側面図、（ｂ）は正面図である。
【図２】図１（ａ）中の（ａ）Ａ−Ａ断面、（ｂ）Ｂ−Ｂ断面、（ｃ）Ｃ−Ｃ断面を示す図である。
【図３】本発明の一実施形態にかかる雄型コネクタを示す図であり、（ａ）は雄型端子の軸に沿った部分断面図、（ｂ）は（ａ）中のＤ−Ｄ断面図である。
【図４】上記雄型コネクタが適用されるＰＣＢ用雄型コネクタを示す断面図である。
【図５】上記雄型コネクタを雌型コネクタに嵌合させる際の状態を示す図であり、（ａ）は正規の嵌合状態、（ｂ）は片当たりを起こしている状態を示している。
【図６】従来一般の雄型コネクタを雌型コネクタに嵌合させる際の状態を示す図であり、（ａ）は正規の嵌合状態、（ｂ）は片当たりを起こしている状態を示している。
【発明を実施するための形態】
【００１９】
以下、図面を用いて本発明の一実施形態にかかる雄型端子および雄型コネクタについて、詳細に説明する。
【００２０】
［雄型端子の構成］
図１，２に、本発明の一実施形態にかかる雄型端子１の概略を示す。雄型端子１は、銅または銅合金等の導電性材料から形成された、中実の部材である。
【００２１】
以下では、雄型端子１の軸に沿って、先端側から基端側に向かう方向をｘ方向とする。また、ｘ方向に直交する２つの方向を、ｙ方向およびｚ方向とする。図１（ａ）は、雄型端子１の側面図（ｘｙ平面図）を示し、図１（ｂ）は先端側からの正面図（ｙｚ平面図）を示している。また、図２（ａ）〜（ｃ）はそれぞれ、図１（ａ）中のＡ−Ａ断面、Ｂ−Ｂ断面、Ｃ−Ｃ断面を示している。
【００２２】
雄型端子１は、先端側から、ｘ方向に沿って、誘導部１１、端子接触部１２、大断面部１３、固定部１４を一体に有している。雄型端子１は、誘導部１１を除く各部位１２〜１４において、ｚ方向には均一な厚みを有しているが、ｙ方向については、部位ごとに異なる幅を有している。
【００２３】
端子接触部１２は、ｘ方向に沿って略均一に、図２（ａ）のような矩形の断面を有する軸状の部位として形成されている。雄型端子１は、相手方の雌型端子９３と、端子接触部１２において電気的に接触する（図５（ａ）参照）。誘導部１１は、端子接触部１２から雄型端子１の先端側に向かって、先細り形状を有し、雄型端子１を雌型端子９３と嵌合させる際に雄型端子１を誘導する役割を果たす。
【００２４】
大断面部１３においては、ｘ軸方向に交差する断面（ｙｚ断面）が矩形になっており、その断面の面積が端子接触部１２よりも大きくなっている。そして、大断面部１３内において、矩形のｙｚ断面の面積が、端子接触部１２に連続している先端部１３ａから、固定部１４に連続している基端部１３ｂに向かって、徐々に大きくなっている。
【００２５】
具体的には、図２（ｂ），（ｃ）に、大断面部１３のｙｚ断面を示すように、図２（ａ）の端子接触部１２の断面と比較して、ｚ方向の辺の長さｚ０は変化していない。一方、ｙ方向の辺の長さｙ１，ｙ２が、端子接触部１２における辺の長さｙ０よりも大きくなっている（ｙ１＞ｙ０，ｙ２＞ｙ０）。そして、ｙ方向の辺の長さは、大断面部１３の中で、先端部１３ａから基端部１３ｂに向かって徐々に大きくなっている（ｙ２＞ｙ１）。
【００２６】
大断面部１３の基端部１３ｂに連続している固定部１４は、端子接触部１２と同様、ｘ軸方向に沿って略均一な断面を有する軸状の部位として形成されている。固定部１４のｘ軸方向に交差する断面の面積は、大断面部１３の基端部１３ｂの断面よりも小さくなっている。
【００２７】
［雄型コネクタの構成］
本発明の一実施形態にかかる雄型コネクタ２は、上記のような雄型端子１を備えるものである。図３に示すように、複数（図では４本）の雄型端子１が、平行に並べられて、樹脂材料よりなる雄型コネクタハウジング２０に、収容され、固定されている。
【００２８】
雄型コネクタハウジング２０は、四角筒状の側壁２１と、側壁２１の一方端を閉塞する底面２２を有している。底面２２には、雄型端子１の固定部１４を挿通できる貫通孔が設けられており、雄型端子１は、固定部１４の基端側から、この貫通孔を通って、雄型コネクタハウジング２０の内部に挿通されている。そして、大断面部１３の基端部１３ｂの端面にて、モールド樹脂（不図示）を用いて雄型コネクタハウジング２０の底面２２に固定されている。この状態で、雄型コネクタハウジング２０の側壁２１の四角筒の軸は、雄型端子１の軸と平行になっており、ｘ軸方向に向いている。
【００２９】
上記のような雄型端子１および雄型コネクタ２は、例えば、図４に示すようなプリント基板（ＰＣＢ）用雄型コネクタ３の一部として構成することができる。ＰＣＢ用雄型コネクタ３においては、多数のＰＣＢ用雄型端子３０が並べられ、ハウジング３３に固定されている。各ＰＣＢ用雄型端子３０は、長尺状の線材が適宜中途部で曲げられた形状を有しており、一端に基板接続部３２が、他端に端子接続部３１が形成されている。基板接続部３２は、ＰＣＢに設けられたスルーホールに挿通され、はんだ接合により、スルーホールとの間に導通を形成される。端子接続部３１は、雌型端子として構成された相手方接続端子と嵌合接続される。これにより、ＰＣＢ用雄型端子３０を介して、相手方接続端子とＰＣＢのスルーホールの間に電気的接続が形成される。上記のような本発明の実施形態にかかる雄型端子１および雄型コネクタ２は、このようなＰＣＢ用雄型端子３０およびＰＣＢ用雄型コネクタ３の端子接続部３１側の部位を構成するものとして、好適に用いることができる。
【００３０】
上記のような雄型コネクタ２は、図５（ａ）に示したように、雌型コネクタ９０と嵌合することができる。雌型コネクタ９０は、雄型コネクタハウジング２０の内部空間に進入し、嵌合可能な雌型コネクタハウジング９１を有している。雌型コネクタハウジング９１の中には、雄型コネクタハウジング２０に固定された各雄型端子１が進入可能なキャビティ９２が設けられている。キャビティ９２の入口部分には、誘い込み部９２ａが設けられている。誘い込み部９２ａは、雄型端子１の進入方向に沿って手前側（＋ｘ方向）が奥側（−ｘ方向）よりも広がったテーパ形状の面として形成されている。誘い込み部９２ａのテーパ形状は、雄型端子１をキャビティ９２に正規位置まで挿入した状態において、大断面部１３の少なくとも先端部１３ａ側の一部を収容でき、大断面部１３と干渉しないように設定されている。キャビティ９２の内部には、雌型端子９３の先端部が収容されており、キャビティ９２に進入した雄型端子１は、端子接触部１２において、雌型端子９３と接触し、電気的接続を形成する。図５（ａ）のように、雄型コネクタ２と雌型コネクタ９０を、雄型端子１の軸とキャビティ９２の軸が一致する正規位置および正規方向に嵌合させた際に、雄型コネクタハウジング２０の側壁２１と雌型コネクタハウジング９１の側壁の間には、ｙ方向に沿って、クリアランス（空隙）Ｃが残る。
【００３１】
［コネクタ嵌合時の片当たり］
上記のような雄型端子１を備えた雄型コネクタ２を雌型コネクタ９０と嵌合接続する際に、雄型端子１の片当たりが生じる可能性がある。つまり、雄型コネクタハウジング２０と雌型コネクタハウジング９１の間にはクリアランスＣが存在するため、雌型コネクタ９０が雄型コネクタ２の軸（ｘ軸）に対して傾斜した状態、あるいは、その軸に交差する方向（例えばｙ方向）に位置がずれた状態で、雄型コネクタハウジング２０の内部に進入することができる。この際、ずれが存在していても、雌型コネクタハウジング９１のキャビティ９２の入口に誘い込み部９２ａが設けられていることにより、雄型端子１がキャビティ９２内に誘導される。しかし、雄型端子１が誘い込み部９２ａに斜め方向から進入することになり、ｘ軸の周りの一方向で、雄型端子１が、誘導部１１または端子接触部１２において、誘い込み部９２ａのテーパ状の内壁に当接することになる。図５（ｂ）では、＋ｙ方向の当接点Ｐで当接が起こっている。このまま、雄型端子１をキャビティ９２に進入させるような力を、雄型コネクタ２と雌型コネクタ９０の間に印加し続けると、当接点Ｐにおいて、雄型端子１が雌型コネクタハウジング９１に対して押し付けられる。すると、雄型端子１に−ｙ方向の荷重が印加され、曲げモーメントが発生する。
【００３２】
ここで、当接点Ｐにおいて雄型端子１に曲げモーメントＭが印加された際に、雄型端子１において生じる曲げ応力σは、Ｚを断面係数として、
σ＝Ｍ／Ｚ      （１）
となる。
【００３３】
曲げモーメントＭは、印加される荷重をＷ、当接点Ｐからのｘ方向の距離をＸとして、
Ｍ＝Ｗ×Ｘ      （２）
となる。
【００３４】
本実施形態において、雄型端子１の端子接触部１２および大断面部１３の断面は矩形であり、この場合に、断面係数Ｚは、
Ｚ＝ｂｈ２／６    （３）
となる。ｂは、荷重と垂直方向の辺の長さ（図２のｚ０）であり、ｈは荷重印加方向の長さ（図２のｙ０，ｙ１，ｙ２）である。
【００３５】
上記雄型端子１においては、大断面部１３において、端子接触部１２よりも、荷重印加方向（ｙ方向）に沿った辺の長さ、つまり式（３）におけるｈが大きくなっており、特に、大断面部１３の基端部１３ｂ側の部位で、その長さが大きくなっている（ｙ２＞ｙ１＞ｙ０）。よって、式（３）より、断面係数Ｚは、端子接触部１２よりも、大断面部１３において大きくなり、特に、大断面部１３の基端部１３ｂ側の部位で大きくなる。式（２）より、雄型端子１に印加される曲げモーメントＭは、片当たりが起こっている当接点Ｐから離れるほど大きくなるので、端子接触部１２よりも大断面部１３において、特に大断面部１３の基端部１３ｂ側の部位において、大きな曲げモーメントＭが発生する。しかし、端子接触部１２よりも大断面部１３、とくに大断面部１３の基端部１３ｂ側の部位が大きな断面係数Ｚを有していることにより、式（１）のように、曲げモーメントＭによって発生する曲げ応力σを軽減することができる。
【００３６】
雄型端子が大断面部を有さないとすれば、特に雄型端子の基端側に、曲げ応力によって大きな負荷が印加されやすく、また、その負荷を原因として、雄型端子の座屈や変形が起きやすくなる。また、雄型端子を雄型コネクタハウジングに固定している部位にも、負荷が印加されやすくなる。しかし、大断面部１３を有する本実施形態にかかる雄型端子１においては、上記のように、大断面部１３が大きな断面係数を有することの効果により、曲げ応力を低減することができるので、曲げモーメントに起因する雄型端子１の基端側の部位での座屈や変形、また雄型コネクタハウジング２０への固定部に対する負荷の印加を抑制することができる。
【００３７】
上記実施形態においては、大断面部１３は、先端部１３ａから基端部１３ｂに向かって、断面の一方向（ｙ方向）の幅が大きくなっているが、大断面部１３の形状はこのようなものに限られない。大断面部１３のｙｚ断面が、端子接触部１２のｙｚ断面よりも大面積であれば、その面積の効果により、大断面部１３が曲げ応力の低減に寄与することができる。例えば、大断面部１３のｙｚ断面は、先端部１３ａから基端部１３ｂまで均一であってもよく、この場合には、大断面部１３は、四角柱状となる。しかし、上記実施形態のように、先端部１３ａから基端部１３ｂに向かって徐々にｙｚ断面の面積が大きくなるように大断面部１３を形成しておけば、大断面部１３の体積を不必要に大きくすることなく、特に片当たりによって負荷を印加されやすい基端部１３ｂ側の部位における曲げ応力を、効果的に軽減することができる。このような形状の例として、上記実施形態のように、断面の一方向（ｙ方向）の幅のみが大きくなり、もう一方向（ｚ方向）の幅が一定であるものの他に、先端部１３ａから基端部１３ｂに向かって、２つの方向（ｙ方向およびｚ方向）における幅がともに大きくなるような、四角錐台状の大断面部１３を挙げることができる。また、大断面部１３の断面形状は、矩形に限られず、円形等、任意の形状に形成されてもよい。それらの場合にも、大断面部１３内で、先端部１３ａから基端部１３ｂに向かって、その断面の面積が徐々に大きくなっていることが好ましい。
【００３８】
式（３）によると、荷重と垂直方向の辺の長さｂは、断面係数Ｚに、１次でしか取り込まれていないのに対し、荷重印加方向の長さｈは、２次で取り込まれている。つまり、荷重と垂直な方向をはじめ、荷重印加方向以外の方向に雄型端子１の断面の幅を広げても、その荷重による曲げ応力を軽減する効果を享受することはできるが、荷重印加方向に断面の幅を広げる方が、曲げ応力の軽減の効果が大きく得られる。上記実施形態にかかる雄型端子１では、ｙ方向に幅が広がった大断面部１３を有することで、ｚ方向での片当たりによる負荷よりも、ｙ方向での片当たりによる負荷を特に効果的に軽減することができる。よって、端子接触部１２から一方向に幅を広げて大断面部１３を形成する場合に、雄型コネクタハウジング２０と雌型コネクタハウジング９１のクリアランスＣが最も大きく、片当たりによる負荷の印加が起こりやすい方向に沿って、大断面部１３の幅を広げるようにすればよい。上記で例示したように、大断面部１３を四角錐台状に形成すれば、複数の方向で、片当たりによる負荷を軽減しやすくなる。
【００３９】
本実施形態にかかる雄型端子１においては、片当たりによる負荷の軽減のために、端子接触部１２と一体に連続した剛体よりなる大断面部１３を用いており、特許文献１に記載されるような可撓性部材を用いていない。大断面部１３は、端子接触部１２に印加される以上の振動を受けるものではなく、片当たりによる負荷の軽減のために可撓性部材を用いる場合に問題となるような振動の影響は生じない。よって、本実施形態にかかる雄型端子１および雄型コネクタ２は、自動車内のように、激しい振動が頻繁に加えられる部位にも、好適に用いることができる。
【００４０】
以上、本発明の実施の形態について詳細に説明したが、本発明は上記実施の形態に何ら限定されるものではなく、本発明の要旨を逸脱しない範囲で種々の改変が可能である。例えば、固定部１４は、大断面部１３よりも小さい断面を有している必要はなく、大断面部１３の基端部１３ｂと同じ大断面の部位として設けられてもよい。
【符号の説明】
【００４１】
１          雄型端子
１１        誘導部
１２        端子接触部
１３        大断面部
１４        固定部
２          雄型コネクタ
２０        雄型コネクタハウジング
【図１】
2017188291.tif 000003
【図２】
2017188291.tif 000004
【図３】
2017188291.tif 000005
【図４】
2017188291.tif 000006
【図５】
2017188291.tif 000007
【図６】
2017188291.tif 000008